(57)【要約】【課題】リアパッケージトレイの形状が異なる各車種に適した車両用空気清浄機を提供することを目的とする。【解決手段】自動車における車内のリアパッケージトレイ上に取り付けられる車両用空気清浄機１において、吹出口１１と吸込口１０とを有する本体ケース５と、吹出口１１と吸込口１０とを連通する送風路１３と、送風路１３に設けた空気清浄手段６と送風手段７と、本体ケース５の下部に装着可能な下ケース８と、本体ケース５を車内のリアパッケージトレイ４に固定する固定手段９とを備え、固定手段９は、平板部１８と、平板部１８から下方に伸びた脚部１９と、平板部１８に設けた第１の固定部２０と第２の固定部２１とを備え、第１の固定部２０は、平板部１８とリアパッケージトレイ４とを固定し、第２の固定部２１は、平板部１８と本体ケース５とを固定し、固定手段９の平板部１８と脚部１９とは、下ケース８内に設けられることを特徴としたものである。【選択図】図３
2016132355.tif 000002
【特許請求の範囲】
【請求項１】
吹出口と吸込口とを有する本体ケースと、前記吹出口と前記吸込口とを連通する送風路と、前記送風路に設けた空気清浄手段と送風手段と、
前記本体ケースの下部に装着可能な下ケースと、前記本体ケースを車内のリアパッケージトレイに固定する固定手段とを備え、前記固定手段は、平板部と、前記平板部から下方に伸びた脚部と、
前記平板部に設けた第１の固定部と第２の固定部とを備え、前記第１の固定部は、前記平板部と前記リアパッケージトレイとを固定し、
前記第２の固定部は、前記平板部と前記本体ケースとを固定し、前記固定手段の前記平板部と前記脚部とは、
前記下ケース内に設けられることを特徴とする車両用空気清浄機。
【請求項２】
前記下ケースの上端は、前記本体ケースに沿う形状であり、前記下ケースの下端は、前記リアパッケージトレイに沿う形状であり、
ことを特徴とする請求項１に記載の車両用空気清浄機。
【請求項３】
前記平板部と前記脚部とは一体で形成し、断面形状は下方が開口したＬ字形状であり、前記脚部は、車における左右方向に伸びることを特徴とする請求項１または２に記載の車両用空気清浄機。
【請求項４】
前記脚部は前記平板部の両端部から下方に伸び、前記平板部と前記脚部とは一体で形成し、断面形状は下方が開口したＵ字形状であり、前記脚部は、車における前後方向に伸びることを特徴とする請求項１または２に記載の車両用空気清浄機。
【請求項５】
前記固定手段の高さは、前記下ケースの高さより低いことを特徴とする請求項１から４のいずれかに記載の車両用空気清浄機。
【請求項６】
前記第１の固定部は、前記平板部の下面から下方に伸びた複数のボルトと、前記ボルトに嵌るナットを有することを特徴とする請求項１から５のいずれかに車両用空気清浄機。
【請求項７】
前記第２の固定部は、前記平板部に設けた複数の孔部と、前記本体ケースの底に設けたボス部と、前記孔部を介して前記ボス部に固定可能なネジを有することを特徴とする請求項１から６のいずれかに車両用空気清浄機。
【発明の詳細な説明】
【技術分野】
【０００１】
本発明は、自動車における車内のリアパッケージトレイ上に取り付けられる車両用空気清浄機に関する。
【背景技術】
【０００２】
従来、この種の車両用空気清浄機は、吹出口と吸込口とを有する本体ケースと、本体ケース内に設けた空気清浄手段と送風手段とからなり、本体ケースは、リアシート後方のリアパッケージトレイに取り付けられるものが知られている。（例えば、特許文献１参照）
【先行技術文献】
【特許文献】
【０００３】
【特許文献１】実開平２−３５８１６号公報
【発明の概要】
【発明が解決しようとする課題】
【０００４】
従来より、リアシート後方のリアパッケージトレイの形状は、車種によって異なるものである。そこで、本体ケース内の空気清浄手段、送風手段等を変えずに、各車種に適した車両用空気清浄機の本体ケースのみを予め準備し、本体ケースのみを各車種に適した本体ケースに交換して使用していた。しかし、車両用空気清浄機の部品の中で、最も大きな本体ケースを多数用意しなければならないという不便があった。
【０００５】
そこで本発明は、最も大きな本体ケースを多数用意せずに、リアパッケージトレイの形状が異なる各車種に適した車両用空気清浄機を提供することを目的とする。
【課題を解決するための手段】
【０００６】
そして、この目的を達成するために、本発明は、吹出口と吸込口とを有する本体ケースと、前記吹出口と前記吸込口とを連通する送風路と、前記送風路に設けた空気清浄手段と送風手段と、前記本体ケースの下部に装着可能な下ケースと、前記本体ケースを車内のリアパッケージトレイに固定する固定手段とを備え、前記固定手段は、平板部と、前記平板部から下方に伸びた脚部と、前記平板部に設けた第１の固定部と第２の固定部とを備え、前記第１の固定部は、前記平板部と前記リアパッケージトレイとを固定し、前記第２の固定部は、前記平板部と前記本体ケースとを固定し、前記固定手段の前記平板部と前記脚部とは、前記下ケース内に設けられることを特徴としたものである。
【０００７】
これにより、所期の目的を達成するものである。
【発明の効果】
【０００８】
以上のように本発明は、吹出口と吸込口とを有する本体ケースと、前記吹出口と前記吸込口とを連通する送風路と、前記送風路に設けた空気清浄手段と送風手段と、前記本体ケースの下部に装着可能な下ケースと、前記本体ケースを車内のリアパッケージトレイに固定する固定手段とを備え、前記固定手段は、平板部と、前記平板部から下方に伸びた脚部と、前記平板部に設けた第１の固定部と第２の固定部とを備え、前記第１の固定部は、前記平板部と前記リアパッケージトレイとを固定し、前記第２の固定部は、前記平板部と前記本体ケースとを固定し、前記固定手段の前記平板部と前記脚部とは、前記下ケース内に設けられることを特徴としたものである。
【０００９】
すなわち、本体ケースの下部に装着可能な下ケースを備え、下ケース内に、固定手段の平板部と脚部とを設けている。これにより、下ケースと固定手段を予め準備しておけば、下ケースと固定手段を、各車種に適した下ケースと固定手段に交換して、使用でき、最も大きな本体ケースを多数用意せずに、リアパッケージトレイの形状が異なる各車種に適した車両用空気清浄機を提供することができる。
【図面の簡単な説明】
【００１０】
【図１】本発明の実施の形態１の車両用空気清浄機をリアシート後方のリアパッケージトレイに取り付けた斜視図
【図２】同車両用空気清浄機の外形を示す斜視図
【図３】同車両用空気清浄機の展開図
【図４】同車両用空気清浄機とリアパッケージトレイの垂直断面図
【図５】本発明の実施の形態２の車両用空気清浄機の展開図
【発明を実施するための形態】
【００１１】
以下、本発明の実施の形態について図面を参照しながら説明する。
【００１２】
（実施の形態１）
図１は、本発明の実施の形態の車両用空気清浄機を、リアシート後方のリアパッケージトレイに取り付けた斜視図である。図２は、同車両用空気清浄機の外形を示す斜視図である。図３は、同車両用空気清浄機の展開図である。
【００１３】
図１に示すように、本実施形態の車両用空気清浄機１は、自動車２のリアシート３後方のリアパッケージトレイ４に取り付けられている。本実施形態における車両用空気清浄機１は、自動車に取り付けられた状態において、自動車２における前側を前側、自動車２における後側を後側、自動車２の前方から見て左側を左側、自動車２の前側から見て右側を右側と定義する。
【００１４】
図２、図３に示すように、車両用空気清浄機１は、本体ケース５と、空気清浄手段６と、送風手段７と、下ケース８、固定手段９とを備えている。
【００１５】
本体ケース５は、左右、前後方向の寸法に比べて、上下方向の寸法が小さい略箱形状である。上から見ると、後方が円弧となる略半円形状である。本体ケース５の前面側に吸込口１０を、天面における背面側に吹出口１１を備えている。この吸込口１０には、格子によって複数の開口を有する吸込口カバー１２を備えている。本体ケース５内には、本体ケース５は、吸込口１０と吹出口１１とを連通する送風路１３を有している。この送風路１３には、吸込口１０から順に、空気清浄手段６、送風手段７、吹出口１１を備えている。本体ケース５における左側面、右側面、後側面は、下部から上部へ向かうにつれて内方へ傾斜し、天面と一体に形成している。本体ケース５は、リアパッケージトレイ４に固定手段９によって固定されている。本体ケース５とリアパッケージトレイ４との間には、下ケース８が挟まれ、固定されている。
【００１６】
空気清浄手段６は、本体ケース５の前面側の吸込口１０に装着されている。空気清浄手段６は、１例として、濾材を波状に折り曲げた集塵フィルターである。
【００１７】
送風手段７は、スクロール形状のケーシング部１４と、ケーシング部１４に固定されたモータ部（図示せず）と、モータ部によって回転する羽根部１５とを備えている。ケーシング部は、天面に円形の吸気口１６を、背面側に四角形の吐出口１７を有している。ケーシング部１４は、本体ケース５における左右の一方側に舌部（図示せず）を備えている。
【００１８】
下ケース８は、上下方向が軸方向となる略筒形状で、本体ケース５の下部に装着可能である。すなわち、下ケース８の上端部は、本体ケース５が嵌る形状である。下ケース８の下端は、リアシート３後方のリアパッケージトレイ４の形状に沿う形状である。
【００１９】
モータ部によって羽根部１５が回転すると、車内の空気が、本体ケース５の吸込口１０から本体ケース５内へ吸い込まれる。この吸い込まれた空気は、空気清浄手段６へ送風され、空気清浄手段６によって、空気中の埃等が捕集される。空気清浄手段６を通過した空気は、ケーシング部１４の吸気口１６を介して、ケーシング部１４内へ送風される。そして、ケーシング部１４の吐出口１７から、本体ケース５の吹出口１１を介し、車内へ送風される。
【００２０】
図４は、車両用空気清浄機とリアパッケージトレイの垂直断面図である。図３、図４に示すように、固定手段９は、平板部１８と、脚部１９と、第１の固定部２０と、第２の固定部２１とを備えている。平板部１８は、四角形状の平板で、平板部１８の一方側端部から下方に伸びた脚部１９を備えている。平板部１８には、第１の固定部２０と、第２の固定部２１とを備えている。第１の固定部２０は、平板部１８とリアパッケージトレイ４とを固定し、第２の固定部２１は、平板部１８と本体ケース５とを固定する。
【００２１】
固定手段９の取付け順序について説明する。固定手段９の取付け順序は、まず、第２の固定部２１によって、平板部１８に本体ケース５を固定する。次に、平板部１８に本体ケース５を固定した状態で、下ケース８を本体ケース５の下部に装着し、リアパッケージトレイ４の上面に置く。このように置くと、平板部１８の一方側端部から下方に伸びた脚部１９の下端と、平板部１８の他方側端部の下面とが、リアパッケージトレイ４の上面に当たる。リアパッケージトレイ４は、自動車２における前側から後側に向かうにつれて、上面が高くなる場合には、平板部１８の一方側端部から下方に伸びた脚部１９が前側となり、平板部１８の他方側端部が後側となる。この状態で、第１の固定部２０によって、平板部１８にリアパッケージトレイ４を固定する。これにより、下ケース８は、本体ケース５とリアパッケージトレイ４との間に挟まれ、固定される。
【００２２】
本実施形態における特徴は、本体ケース５の下部に装着可能な下ケース８を備え、下ケース８内に、固定手段９の平板部１８と脚部１９とを設けている点である。これにより、下ケース８と固定手段９を予め準備しておけば、下ケース８と固定手段９を、各車種に適した下ケース８と固定手段９に交換して、使用でき、最も大きな本体ケースを多数用意せずに、リアパッケージトレイ４の形状が異なる各車種に適した車両用空気清浄機を提供することができる。また、下ケース８によって、固定手段９は見えないので、デザイン性も向上する。
【００２３】
また、下ケース８の上端は、本体ケース５に沿う形状であり、下ケース８の下端は、リアパッケージトレイ４に沿う形状である。これにより、下ケース８の上端部の形状を変えることなく、下ケース８の下端の形状のみを各車種のリアパッケージトレイ４の形状に沿うように変えることで、各車種に適した下ケース８となる。したがって、下ケース８を、容易に作ることができる。
【００２４】
また、平板部１８と脚部１９とは一体で形成し、断面形状は下方が開口したＬ字形状である。固定手段９の脚部１９は、車における左右方向に伸びるように固定される。具体的には、略四角形状の金属平板の一方側を、一箇所折り曲げたものである。これにより、平板部１８と脚部１９とを、容易に作ることができる。また、略四角形状の金属平板の一方側の端部をリアパッケージトレイ４に沿う形状にすると、脚部１９の端部が、リアパッケージトレイ４に沿う形状となるので、より安定した状態で本体ケース５を固定できる。
【００２５】
また、固定手段９の高さは、下ケース８の高さより低いものである。すなわち、吸込口１０と吹出口１１とを連通する送風路１３は、本体ケース５より下方へ突出し、送風路１３の一部は、下ケース８内に入り込んでいる。同様に、送風手段７の一部も、下ケース８内に入り込んでいる。すなわち、本体ケース５の底面が、下ケース８内に入り込んでいるので、固定手段９の高さが、下ケース８の高さより低くなり、結果として、車両用空気清浄機１の高さを小さくすることができる。
【００２６】
また、第１の固定部２０は、平板部１８の下面から下方に伸びた複数のボルト部２２と、ボルト部２２にねじ止めできるナット部２３を有するものである。具体的には、平板部１８の下面に、２本のボルト部２２が、所定の距離を有して固定されている。リアパッケージトレイ４には、２本のボルト部２２が貫通する複数の孔２６を備えている。リアパッケージトレイ４の裏面には、裏面から下方に延びた格子状の多数のリブ部（図示せず）を備えている。複数の孔２６は、リブ部によって格子状に区切られた区画内に連通している。すなわち、ボルト部２２を複数の孔２６に挿入すると、リアパッケージトレイ４の下方では、ボルト部２２は、リブ部によって格子状に区切られた区画内を貫通する。つまり、ボルト部２２の軸径は、リブ部によって格子状に区切られた区画の大きさより小さいものである。この貫通したボルト部２２の先端からナット部２３をねじ止めすることにより、平板部１８をリアパッケージトレイ４に固定できる。したがって、平板部１８をリアパッケージトレイ４に固定する場合に、リブ部を切る必要がないので、リアパッケージトレイ４の強度を保つことができる。
【００２７】
また、第２の固定部２１は、平板部１８に設けた複数の孔部２４と、本体ケース５の底に設けた取付部と、孔部２４を介して取付部に固定可能なネジ２５を有するものである。
【００２８】
（実施の形態２）
図５は、本発明の実施の形態２における、車両用空気清浄機の展開図である。実施の形態１と同様の構成要素については、同一の符号を付し、その詳細な説明は省略する。
【００２９】
図５に示すように、実施の形態１と相違する点は、固定手段９Ａである。固定手段９Ａの脚部１９Ａは平板部１８の両端部から下方に伸び、平板部１８と複数の脚部１９Ａとは一体で形成し、断面形状は下方が開口したＵ字形状である。固定手段９Ａは、脚部１９Ａは、車における前後方向に伸びるように固定される。具体的には、略四角形状の金属平板の一方側と他方側を、二箇所折り曲げたものである。これにより、平板部１８と複数の脚部１９Ａとを、容易に作ることができる。また、略四角形状の金属平板の両側の端部をリアパッケージトレイ４に沿う形状にすると、脚部１９Ａの端部が、リアパッケージトレイ４に沿う形状となるので、より安定した状態で本体ケース５を固定できる。
【産業上の利用可能性】
【００３０】
以上のように本発明は、吹出口と吸込口とを有する本体ケースと、前記吹出口と前記吸込口とを連通する送風路と、前記送風路に設けた空気清浄手段と送風手段と、前記本体ケースの下部に装着可能な下ケースと、前記本体ケースを車内のリアパッケージトレイに固定する固定手段とを備え、前記固定手段は、平板部と、前記平板部から下方に伸びた脚部と、前記平板部に設けた第１の固定部と第２の固定部とを備え、前記第１の固定部は、前記平板部と前記リアパッケージトレイとを固定し、前記第２の固定部は、前記平板部と前記本体ケースとを固定し、前記固定手段の前記平板部と前記脚部とは、前記下ケース内に設けられることを特徴としたものである。
【００３１】
すなわち、本体ケースの下部に装着可能な下ケースを備え、下ケース内に、固定手段の平板部と脚部とを設けている。これにより、下ケースと固定手段を予め準備しておけば、下ケースと固定手段を、各車種に適した下ケースと固定手段に交換して、使用でき、最も大きな本体ケースを多数用意せずに、リアパッケージトレイの形状が異なる各車種に適した車両用空気清浄機を提供することができる。
【符号の説明】
【００３２】
１      車両用空気清浄機
２      自動車
３      リアシート
４      リアパッケージトレイ
５      本体ケース
６      空気清浄手段
７      送風手段
８      下ケース
９      固定手段
９Ａ    固定手段
１０      吸込口
１１      吹出口
１２      吸込口カバー
１３      送風路
１４      ケーシング部
１５      羽根部
１６      吸気口
１７      吐出口
１８      平板部
１９      脚部
１９Ａ    脚部
２０      第１の固定部
２１      第２の固定部
２２      ボルト部
２３      ナット部
２４      孔部
２５      ネジ
２６      孔
【図１】
2016132355.tif 000003
【図２】
2016132355.tif 000004
【図３】
2016132355.tif 000005
【図４】
2016132355.tif 000006
【図５】
2016132355.tif 000007